(57)【要約】本発明の照明装置１２は、中央側に配され所定の波長領域に含まれる一次光を出射する中央側光源１７Ａと、中央側光源の両端側に配され一次光と共に一次光が呈する基準色と補色の関係にある色を呈する補色光を出射する端側光源１７Ｂと有する光源列１７０と、光源列１７０と対向しつつ各光源１７Ａ，１７Ｂからの光が入射される光入射面１９ｃと、光入射面１９ｃから入射された光を出射させる光出射面１９ａとを有する導光板１９と、一次光によって励起されて前記波長領域とは異なる他の波長領域に含まれる二次光を放出する第１の蛍光体を含有し、光出射面１９ａを覆うように配され、一次光の一部を透過させ、面光を出射する波長変換部材１５０とを備える。
2016148052.tif 000002
【特許請求の範囲】
【請求項１】
複数個の光源が列状にならんだものからなり、複数個の前記光源のうち、中央側に配され所定の波長領域に含まれる一次光を出射する中央側光源と、前記中央側光源の両端側に配され前記一次光と共に前記一次光が呈する基準色と補色の関係にある色を呈する補色光を出射する端側光源とを有する光源列と、
前記光源列と対向しつつ前記中央側光源及び前記端側光源からの光が入射される光入射面と、前記光入射面から入射された光を出射させる光出射面とを有する導光板と、
前記一次光によって励起されて前記波長領域とは異なる他の波長領域に含まれる二次光を放出する第１の蛍光体を含有し、前記光出射面を覆うように配され、前記一次光の一部を透過させ、面光を出射する波長変換部材と、を備える照明装置。
【請求項２】
前記端側光源は、一次光を出射する基準光源と、前記基準光源の光出射部を覆うように形成され、前記一次光を透過させると共に、前記一次光の一部によって励起されて前記二次光を放出する第２の蛍光体とを含む波長変換部とを含む請求項１に記載の照明装置。
【請求項３】
前記波長変換部は、前記第２の蛍光体を含む塗膜からなる請求項２に記載の照明装置。
【請求項４】
前記端側光源は、白味を帯びた光を出射する請求項１から請求項３の何れか一項に記載の照明装置。
【請求項５】
前記端側光源が列状に複数個並ぶ場合、前記光源列の中央側から端側に向うにつれて前記端側光源から出射される光の白味が強くなるように設定されている請求項１から請求項４の何れか一項に記載の照明装置。
【請求項６】
前記中央側光源は、前記端側光源を構成する前記基準光源と同種のものからなる請求項２に記載の照明装置。
【請求項７】
前記一次光は、青色光であり、
前記波長変換部材は、前記第１の蛍光体として、前記一次光としての前記青色光により励起して、前記二次光として緑色光を放出する緑色蛍光体と、前記一次光としての前記青色光により励起して、前記二次光として赤色光を放出する赤色蛍光体とを少なくとも含有し、
前記端側光源から出射される前記補色光は、黄色光である請求項１から請求項６の何れか一項に記載の照明装置。
【請求項８】
前記端側光源の前記波長変換部は、前記第２の蛍光体として、青色光により励起して、緑色光を放出する第２の緑色蛍光体と、前記青色光により励起して、赤色光を放出する第２の赤色蛍光体とを少なくとも含有する請求項３に記載の照明装置。
【請求項９】
前記波長変換部材は、前記第１の蛍光体として、量子ドット蛍光体を含む請求項１から請求項８の何れか一項に記載の照明装置。
【請求項１０】
前記波長変換部材を覆うように配される反射型偏光部材を備える請求項１から請求項９の何れか一項に記載の照明装置。
【請求項１１】
請求項１から請求項１０の何れか一項に記載の照明装置と、前記照明装置からの光を利用して画像を表示させる表示パネルとを備える表示装置。
【請求項１２】
前記表示パネルは、液晶パネルからなる請求項１１に記載の表示装置。
【請求項１３】
請求項１１又は請求項１２に記載の表示装置を備えるテレビ受信装置。
【発明の詳細な説明】
【技術分野】
【０００１】
本発明は、照明装置、表示装置及びテレビ受信装置に関する。
【背景技術】
【０００２】
液晶表示装置は、液晶パネルと共に、液晶パネルに光を供給する照明装置（バックライト装置）を備えている。この種の照明装置としては、導光板の端面に沿う形でＬＥＤ（Light Emitting Diode）が配設される、所謂エッジライト型（又はサイドライト型）のものが知られている。このような照明装置は、液晶パネルの背面側に配され、液晶パネルの背面に向かって面状に広がった光を供給する。【０００３】
また、近年、量子ドット蛍光体(Quantum Dot Phosphor)を含む蛍光体シートを、導光板を覆う光学部材として利用した照明装置が知られている（例えば、特許文献１）。この種の照明装置では、ＬＥＤから出射された一次光（例えば、青色光）が蛍光体シートに供給されると、その光の一部が、シート中の量子ドット蛍光体を励起し、残りの光がシート中を透過することになる。量子ドット蛍光体が一次光によって励起されると、その量子ドット蛍光体からは、一次光とは異なった波長の二次光（緑色光及び赤色光）が放出される。シートから放出された二次光は、フィルムを透過する一次光と互いに混ざり合うため、結果的に、蛍光体シートからは、面状に広がった白色光が出射される。【０００４】
なお、この種の照明装置では、蛍光体シートに積層する形で、レンズシート、反射型偏光シート等の他の光学シートが設けられている。そのため、導光板の光出射面より出射された光は、前記光学シートに当たる等して複数回の再帰反射を繰り返した後、最終的に液晶パネルの背面に向かうことになる。つまり、導光板の光出射面より出射された光は、蛍光体シートに対して複数回供給されるため、蛍光体シート中の量子ドット蛍光体により、効率的に波長変換される。
【先行技術文献】
【特許文献】
【０００５】
【特許文献１】特表２０１３−５４４０１８号公報
【０００６】
（発明が解決しようとする課題）
上記照明装置において、光出射面の端側（周縁側）から出射される光は、中央側から出射される光と比べて、再帰反射の回数が少ない等の理由により、波長変換されずに一次光のままの状態の光が多く出射する。そのため、照明装置からは、端側（周縁側）が中央側よりも一次仮の色彩（例えば、青色）で色付いた光が出射されることがあった。
【発明の概要】
【０００７】
本発明の目的は、蛍光体シートを光学部材として利用するエッジライト式の照明装置において、端側が中央側よりも光源の一次光の色彩で色付く出射光の色ムラを抑制する技術を提供することである。
【０００８】
（課題を解決するための手段）
本発明に係る照明装置は、複数個の光源が列状にならんだものからなり、複数個の前記光源のうち、中央側に配され所定の波長領域に含まれる一次光を出射する中央側光源と、前記中央側光源の両端側に配され前記一次光と共に前記一次光が呈する基準色と補色の関係にある色を呈する補色光を出射する端側光源とを有する光源列と、前記光源列と対向しつつ前記中央側光源及び前記端側光源からの光が入射される光入射面と、前記光入射面から入射された光を出射させる光出射面とを有する導光板と、前記一次光によって励起されて前記波長領域とは異なる他の波長領域に含まれる二次光を放出する第１の蛍光体を含有し、前記光出射面を覆うように配され、前記一次光の一部を透過させ、面光を出射する波長変換部材と、を備える。前記照明装置は、このような構成を備えることにより、その出射光が、端側が中央側よりも光源の一次光の色彩で色付くことが抑制される。
【０００９】
前記照明装置において、前記端側光源は、一次光を出射する基準光源と、前記基準光源の光出射部を覆うように形成され、前記一次光を透過させると共に、前記一次光の一部によって励起されて前記二次光を放出する第２の蛍光体とを含む波長変換部とを含むものであってもよい。
【００１０】
前記照明装置において、前記波長変換部は、前記第２の蛍光体を含む塗膜からなるものであってもよい。波長変換部が第２の蛍光体を含む塗膜からなると、波長変換部を容易に形成することができる。
【００１１】
前記照明装置において、前記端側光源は、白味を帯びた光を出射するものであってもよい。
【００１２】
前記照明装置において、前記端側光源が列状に複数個並ぶ場合、前記光源列の中央側から端側に向うにつれて前記端側光源から出射される光の白味が強くなるように設定されているものであってもよい。
【００１３】
前記照明装置において、前記中央側光源は、前記端側光源を構成する前記基準光源と同種のものからなるものであってもよい。このように、中央側光源が端側光源を構成する基準光源と同種のものからなると、部品が共通化されるため、生産性に優れ、また、光源の点灯制御等を行い易くなる。
【００１４】
前記照明装置において、前記一次光は、青色光であり、前記波長変換部材は、前記第１の蛍光体として、前記一次光としての前記青色光により励起して、前記二次光として緑色光を放出する緑色蛍光体と、前記一次光としての前記青色光により励起して、前記二次光として赤色光を放出する赤色蛍光体とを少なくとも含有し、前記端側光源から出射される前記補色光は、黄色光であってもよい。
【００１５】
前記照明装置において、前記端側光源の前記波長変換部は、前記第２の蛍光体として、青色光により励起して、緑色光を放出する第２の緑色蛍光体と、前記青色光により励起して、赤色光を放出する第２の赤色蛍光体とを少なくとも含有するものであってもよい。
【００１６】
前記照明装置において、前記波長変換部材は、前記第１の蛍光体として、量子ドット蛍光体を含むものであってもよい。
【００１７】
前記照明装置において、前記波長変換部材を覆うように配される反射型偏光部材を備えるものであってもよい。
【００１８】
また、本発明に係る表示装置は、前記照明装置と、前記照明装置からの光を利用して画像を表示させる表示パネルとを備える。
【００１９】
前記表示装置において、前記表示パネルは、液晶パネルからなるものであってもよい。
【００２０】
また、本発明に係るテレビ受信装置は、前記表示装置を備える。
【００２１】
（発明の効果）
本発明によれば、蛍光体シートを光学部材として利用するエッジライト式の照明装置において、端側が中央側よりも光源の一次光の色彩で色付く出射光の色ムラを抑制する技術を提供することができる。
【図面の簡単な説明】
【００２２】
【図１】本発明の実施形態１に係るテレビ受信装置の概略構成を示す分解斜視図
【図２】図１のＡ−Ａ線断面図
【図３】表面側から見た状態のＬＥＤ列と導光板との配置関係を模式的に表した平面図
【図４】中央側光源付近における液晶表示装置の拡大断面図
【図５】端側光源付近における液晶表示装置の拡大断面図
【図６】裏面側から見た状態のＬＥＤ列と導光板との配置関係を模式的に表した平面図
【図７】実施形態２に係る照明装置で利用されるＬＥＤ列と導光板との配置関係を模式的に表した平面図
【発明を実施するための形態】
【００２３】
＜実施形態１＞
本発明の実施形態１を、図１〜図６を参照しつつ説明する。本実施形態では、照明装置（バックライト装置）１２を備えるテレビ受信装置１０ＴＶ（液晶表示装置１０の一例）について例示する。なお、各図面には、説明の便宜上、Ｘ軸、Ｙ軸及びＺ軸が示されている。
【００２４】
先ず、テレビ受信装置１０ＴＶ及び液晶表示装置１０について説明する。図１は、本発明の実施形態１に係るテレビ受信装置１０ＴＶの概略構成を示す分解斜視図であり、図２は、図１のＡ−Ａ線断面図である。
【００２５】
テレビ受信装置１０ＴＶは、図１に示されるように、主として、液晶表示装置（表示装置の一例）１０と、その液晶表示装置１０を前後（表裏）両側から挟むようにして収容する表裏両キャビネット１０Ｃａ，１０Ｃｂと、電源１０Ｐと、テレビ信号を受信するチューナー（受信部）１０Ｔと、スタンド１０Ｓとを備えている。
【００２６】
本実施形態の液晶表示装置１０は、全体的には、左右方向に長く延びた横長の矩形状をなしている。また、液晶表示装置１０は、図２に示されるように、主として、表示パネルとして利用される液晶パネル１１と、液晶パネル１１に対して光を供給する外部光源としての照明装置（バックライト装置）１２と、液晶パネル１１及び照明装置１２等を保持する枠状のベゼル１３等を備えている。
【００２７】
液晶パネル１１は、主として、一対の透明な基板と、それらの間で挟まれる形で封止される液晶層とを備えたものからなり、照明装置１２から出射される光を利用して、パネル面上に視認可能な状態で画像を表示させる。液晶パネル１１は、全体的には、平面視で横長の矩形状をなしている。液晶パネル１１を構成する一対の基板のうち、一方の基板はアレイ基板であり、透明なガラス製の基板上に、スイッチング素子であるＴＦＴ(Thin Film Transistor)や画素電極等がマトリクス状に配設されたものからなる。また、他方の基板は、カラーフィルタ（以下、ＣＦ）基板であり、透明なガラス製の基板上に、赤色、緑色、青色の各色からなるカラーフィルタがマトリクス状に配設されたものからなる。
【００２８】
照明装置１２は、液晶パネル１１の背面側に配され、液晶パネル１１に向けて光を供給する装置である。照明装置１２は、白色光を出射するように構成されている。なお、本実施形態の照明装置１２は、所謂エッジライト型（又はサイドライト型）である。
【００２９】
照明装置１２は、図２に示されるように、シャーシ１４、光学部材１５、フレーム１６、ＬＥＤ１７、ＬＥＤ基板１８、導光板１９、反射シート２０等を備えている。
【００３０】
シャーシ１４は、全体的には、表側に開口した略箱型をなし、例えば、アルミニウム板や電気亜鉛めっき鋼板（ＳＥＣＣ）等の金属板から構成される。シャーシ１４は、液晶パネル１１等と同様、平面視略矩形状をなした底板１４ａと、その底板１４ａの周縁から立ち上がりつつ底板１４ａを取り囲む側壁板１４ｂとを備えている。
【００３１】
シャーシ１４の内側には、ＬＥＤ１７、ＬＥＤ基板１８、反射シート２０、導光板１９、光学部材１５等の各種部材が収容される。なお、シャーシ１４の外側には、図示されないコントロール基板やＬＥＤ駆動基板等の基板類が取り付けられている。
【００３２】
シャーシ１４内において、底板１４ａの表面を覆うように反射シート２０が敷かれている。反射シート（反射部材の一例）２０は、光反射性のシート状の部材であり、例えば、白色の発泡ポリエチレンテレフタレート（白色プラスチックシートの一例）等からなる。また、シャーシ１４内において、反射シート２０に載せられる形で、導光板１９が収容されている。
【００３３】
導光板１９は、屈折率が空気よりも十分に高く、透明であり、光透過性に優れる合成樹脂材料（例えば、ＰＭＭＡ等のアクリル系樹脂、ポリカーボネート樹脂等）からなる。導光板１９は、液晶パネル１１等と同様、平面視で略矩形状をなす板状部材からなり、表面１９ａが液晶パネル１１と対向し、裏面１９ｂが反射シート２０と対向する形で、シャーシ１４内に収容されている。
【００３４】
導光板１９の表面１９ａは、液晶パネル１１側に向けて光を出射する光出射面１９ａとなっている。
【００３５】
光出射面１９ａと液晶パネル１１との間には、光学部材１５がフレーム１６に支持された状態で配される。また、導光板１９の一方の長辺側端面１９ｃは、ＬＥＤ１７からの光が入射される光入射面１９ｃとなっている。
【００３６】
なお、導光板１９の他方の長辺側端面１９ｄ、導光板１９の２つの短辺側端面１９ｅ，１９ｆは、ＬＥＤ１７と光源（ＬＥＤ１７）と対向していないため、それらを「光源非対向面」と称する場合がある。特に、光入射面１９ｃの反対側にある光源非対向面（長辺側端面１９ｄ）を、「反対側光源非対向面」と称する場合がある。
【００３７】
フレーム１６は、全体的には、導光板１９の外周端部を表側から覆うような枠状（額縁状）をなし、シャーシ１４の開口部分に表側から組み付けられる。フレーム１６は、例えば、合成樹脂からなり、光反射性を有するように白色塗装されている。フレーム１６は、平面視で枠状をなしつつその内周縁側が、シャーシ１４内に収容された状態の導光板１９の外周端部に表側から宛がわれる枠本体部１６１と、その枠本体部１６１からシャーシ１４の底板１４ａ側に向って延びつつ、シャーシ１４内に収容される立壁部１６２とを備えている。
【００３８】
枠本体部１６１は、内周縁側が導光板１９の外周端部と重なり、かつ外周縁側がシャーシ１４の側壁板１４ｂの上端部と重なるような所定の幅を持った枠状をなしている。枠本体部１６１の内周縁側の裏面には、ウレタンフォーム等からなる弾性部材２１が取り付けられている。本実施形態の弾性部材２１は、黒色であり、遮光性を備えている。弾性部材２１は、全体的には枠状（環状）をなし、導光板１９の外周端部に対して表側から当接される。
【００３９】
また、枠本体部１６１の内周縁側の表面は、外周縁側の表面よりも一段低くなるように設定されており、その低くなった部分に光学部材１５の端部が載せられる。なお、枠本体部１６１の内周縁側の表面には、図示されない突起部が設けられており、その突起部に光学部材１５の端部に設けられている孔部が嵌められることで、光学部材１５が枠本体部１６１に支持される。
【００４０】
立壁部１６２は、枠本体部１６１の外周縁側の裏面からシャーシ１４の底板１４ａに向かって延びつつ、導光板１９の端面１９ｃ等と対向するような板状をなしている。また、立壁部１６２は、全体的には、導光板１９の周りを囲むような筒状をなしている。このような立壁部１６２のうち、導光板１９の一方の長辺側端面１９ｃと対向する部分には、ＬＥＤ１７を実装したＬＥＤ基板１８が取り付けられている。なお、ＬＥＤ基板１８が取り付けられる部分以外の残りの部分は、それぞれ導光板１９の端面とシャーシ１４の側壁板１４ｂとの間に収まる形でシャーシ１４内に収容される。
【００４１】
光学部材１５は、液晶パネル１１等と同様、平面視で横長の略矩形状をなしている。光学部材１５は、その外周端部が、フレーム１６の枠本体部１６１に表側から載せられる形で、導光板１９の光出射面１９ａと液晶パネル１１の背面との間に配される。光学部材１５は、所定の光学作用を付与しつつ、導光板１９から出射された光を液晶パネル１１側へ透過させる機能を備えている。光学部材１５は、互いに積層される複数枚のシート状の部材（光学シート）からなる。
【００４２】
光学部材１５を構成する具体的な部材（光学シート）としては、例えば、拡散シート、レンズシート、反射型偏光シート等が挙げられる。特に、本実施形態の光学部材１５は、必須の部材（光学シート）として、量子ドット蛍光体を含有する蛍光体シート（波長変換部材の一例）１５０を備えている。光学部材１５のうち、蛍光体シート１５０が最も光出射面１９ａ側に配されている。
【００４３】
ここで、蛍光体シート１５０について説明する。蛍光体シート１５０は、液晶パネル１１等と同様、平面視略矩形状をなしている。蛍光体シート１５０は、ＬＥＤ１７からの光の一部を厚み方向にそのまま透過させると共に、ＬＥＤ１７からの光の一部を吸収してその光を他の波長領域の光に変換して放出する機能を備えている。このような蛍光体シート１５０は、例えば、波長変換層と、その波長変換層を挟む一対の支持層と、各支持層の外側に積層され、波長変換層及び一対の支持層を挟む一対のバリア層とを備えている。蛍光体シート１５０からは、液晶パネル１１側に向って面状に広がった光（面光）が出射される。
【００４４】
波長変換層は、バインダ樹脂としてのアクリル系樹脂と、そのアクリル系樹脂中に分散した状態で配合される量子ドット蛍光体（第１の蛍光体の一例）とを含有する。アクリル系樹脂は、透明であり、光透過性を有すると共に、支持層に対する接着性を備えている。支持層は、ポリエチレンテレフタレート（ＰＥＴ）等のポリエステル系樹脂からなるシート状（フィルム状）の部材である。
【００４５】
量子ドット蛍光体は、優れた量子効率を有する蛍光体であり、ナノサイズ（例えば、直径２ｎｍ〜１０ｎｍ程度）の半導体結晶中に、電子・正孔や励起子を三次元空間全方位で閉じ込めることで、離散的エネルギー準位を有し、そのドットのサイズを変えることで発光光のピーク波長（発光色）等を自由に選択することができる。
【００４６】
本実施形態の場合、波長変換層中には、量子ドット蛍光体として、緑色光（約５００ｎｍ〜約５７０ｎｍの波長領域）を発光する緑色量子ドット蛍光体と、赤色光（約６００ｎｍ〜約７８０ｎｍの波長領域）を発光する赤色量子ドット蛍光体とが配合される。緑色量子ドット蛍光体及び赤色量子ドット蛍光体から発せられる緑色光の発光スペクトル及び赤色光の発光スペクトルは、それぞれシャープなピークを有しており、それらの半値幅が狭くなることから、緑色光及び赤色光の各純度は、極めて高くなり、それらの色域も広くなる。
【００４７】
緑色量子ドット蛍光体は、ＬＥＤ１７からの光（青色光、一次光、励起光）を吸収して励起し、緑色光（約５００ｎｍ〜約５７０ｎｍの波長領域）を放出する。つまり、緑色量子ドット蛍光体は、ＬＥＤ１７からの光（青色光、一次光、励起光）を、波長領域の異なる他の光（緑色光）に変換する機能を備えている。
【００４８】
赤色量子ドット蛍光体は、ＬＥＤ１７からの光（青色光、一次光、励起光）を吸収して励起し、赤色光（約６００ｎｍ〜約７８０ｎｍの波長領域）を放出する。つまり、赤色量子ドット蛍光体は、ＬＥＤ１７からの光（青色光、一次光、励起光）を、波長領域の異なる他の光（赤色光）に変換する機能を備えている。
【００４９】
量子ドット蛍光体に用いられる材料としては、２価の陽イオンになり得るＺｎ、Ｃｄ、Ｐｂ等と、２価の陰イオンになり得るＯ、Ｓ、Ｓｅ、Ｔｅ等とを組み合わせた材料（例えば、セレン化カドミウム（ＣｄＣｅ）、硫化亜鉛（ＺｎＳ）等）、３価の陽イオンとなり得るＧａ、Ｉｎ等と３価の陰イオンとなり得るＰ、Ａｓ、Ｓｂ等とを組み合わせた材料（例えば、リン化インジウム（ＩｎＰ）、ヒ化ガリウム（ＧａＡｓ）等）、更にはカルコパイライト型化合物（ＣｕＩｎＳｅ２等）等が挙げられる。本実施形態では、量子ドット蛍光体の材料の一例として、ＣｄＳｅが用いられる。
【００５０】
本実施形態において、量子ドット蛍光体（緑色量子ドット蛍光体、及び赤色量子ドット蛍光体）は、波長変換層を構成するアクリル系樹脂中に、略均一となるように分散配合される。なお、波長変換層中には、散乱剤等の他の成分が含まれてもよい。
【００５１】
バリア層は、アルミナや酸化ケイ素等の金属酸化物膜からなり、波長変換層中の量子ドット蛍光体が湿気（水分）や酸素等と接触しないように保護する機能を備えている。バリア層は、支持層上に、例えば、真空蒸着法を用いて形成される。
【００５２】
ＬＥＤ１７は、導光板１９の光入射面１９ｃに向けて光を照射する光源として利用される。ＬＥＤ１７は、所謂、頂面発光型であり、複数個の物が利用される。複数個のＬＥＤ１７は、互いに間隔を保ちつつ列状に並んだ状態で、ＬＥＤ基板１８上に実装されている。なお、本明細書において、複数個のＬＥＤ１７が列状に並んだものを、ＬＥＤ列（光源列の一例）１７０と称する。
【００５３】
図３は、表面側から見た状態のＬＥＤ列１７０と導光板１９との配置関係を模式的に表した平面図である。図３に示されるように、ＬＥＤ列１７０を構成する複数個のＬＥＤ１７が、導光板１９の光入射面（長辺側端面）１９ｃに沿うように配設されている。本実施形態の場合、隣り合ったＬＥＤ１７同士の間隔は、一定に設定されている。
【００５４】
ＬＥＤ１７としては、互いに出射する光の色が異なる２種類の物が利用される。具体的には、ＬＥＤ１７として、青色光を出射するＬＥＤ１７Ａと、白色光を出射するＬＥＤ１７Ｂとが利用される。
【００５５】
ＬＥＤ１７Ａは、発光源であるチップ状の青色ＬＥＤ素子（青色発光素子）と、その青色ＬＥＤ素子を封止する透明な封止材と、青色ＬＥＤ素子及び封止材を収容する略箱型のケース部とを備えており、青色光を発光するように構成されている。なお、青色ＬＥＤ素子は、例えば、ＩｎＧａＮ等からなる半導体であり、順方向に電圧が印加されることで、青色光の波長領域（約４２０ｎｍ〜約５００ｎｍ）に含まれる光（つまり、青色光）を出射する。なお、本明細書において、ＬＥＤ１７Ａ等のＬＥＤ１７から発せられ青色光を、一次光と称する場合がある。
【００５６】
ＬＥＤ１７Ａは、図３に示されるように、ＬＥＤ列１７０のうち、中央側に複数個の物が列状に配されている。本明細書において、ＬＥＤ列１７０の中央側に配される青色光を発光するＬＥＤ１７Ａを、「中央側光源」と称する。図４は、中央側光源１７Ａ付近における液晶表示装置１０の拡大断面図である。図４には、図３に示されるＢ−Ｂ線に対応する部分の断面図が示されている。図４に示されるように、中央側光源としてのＬＥＤ１７Ａは、発光面（光出射部）１７Ａａが導光板１９の光入射面１９ｃと対向するように、扁平な板状のＬＥＤ基板１８の実装面１８ａ上に実装されている。
【００５７】
ＬＥＤ１７Ｂは、青色光を出射すると共に、青色と補色の関係にある黄色を呈する光（つまり、黄色光）を出射するように構成されている。つまり、ＬＥＤ１７Ｂは、青色光と共に、黄色光（補色光の一例）を出射することで、結果的に白色光を出射する。本実施形態のＬＥＤ１７Ｂは、上述のＬＥＤ１７Ａからなる本体部（基準光源の一例）７１の表面（発光面（光出射部）１７Ａａを含む）を覆うように、黄色を呈する波長変換部７２を前記表面に形成したものからなる。波長変換部７２は、黄色を呈する蛍光体（第２の蛍光体の一例）を、アクリル樹脂等の透明なバインダ樹脂に分散させてなる塗膜からなる。波長変換部７２は、前記蛍光体として、例えば、ＳｒＧａ２Ｓ４：Ｅｕ２＋等からなる緑色蛍光体（第２の緑色蛍光体の一例）と、（Ｃａ，Ｓｒ，Ｂａ）Ｓ：Ｅｕ２＋等からなる赤色蛍光体（第２の赤色蛍光体の一例）とを含む。
【００５８】
ＬＥＤ１７Ｂの本体部７１（基準光源）からは、ＬＥＤ１７Ａと同様、一次光である青色光（波長領域：約４２０ｎｍ〜約５００ｎｍ）が出射される。本体部７１から出射された青色光のうち、一部の青色光は、波長変換部７２中の蛍光体により、波長変換されて、黄色光（補色光）として出射され、残りの青色光は、そのまま青色光として波長変換部７２を透過する。
【００５９】
波長変換部７２中の緑色蛍光体は、本体部７１からの青色光（一次光）を吸収して励起し、緑色光（約５００ｎｍ〜約５７０ｎｍの波長領域）を放出する。また、波長変換部７２中の赤色蛍光体は、本体部７１からの青色光（一次光）を吸収して励起し、赤色光（約６００ｎｍ〜約７８０ｎｍの波長領域）を放出する。つまり、波長変換部７２は、本体部７１からの青色光を吸収すると、緑色光と赤色光とが混ざり合った黄色光を放出することになる。
【００６０】
このようにＬＥＤ１７Ｂは、青色光と共に、黄色光を放出するため、結果的に、青色光と黄色光とが混ざり合った白色光を出射することになる。
【００６１】
ＬＥＤ１７Ｂは、図３に示されるように、ＬＥＤ列１７０のうち、両端側にそれぞれ２個ずつ配されている。本明細書において、白色光を発光するＬＥＤ１７Ｂを、「端側光源」と称する。図５は、端側光源１７Ｂ付近における液晶表示装置１０の拡大断面図である。図５には、図３に示されるＣ−Ｃ線に対応する部分の断面図が示されている。図５に示されるように、端側光源としてのＬＥＤ１７Ｂは、発光面１７Ｂａが導光板１９の光入射面１９ｃと対向するように、扁平な板状のＬＥＤ基板１８の実装面１８ａ上に実装されている。
【００６２】
ＬＥＤ基板１８は、図３に示されるように、導光板１９の長辺方向に沿って延びた長手状（長尺状）をなし、各ＬＥＤ１７を実装しつつ、フレーム１６の立壁部１６２に取り付けられた状態で、シャーシ１４内に収容されている。
【００６３】
図６は、裏面側から見た状態のＬＥＤ列１７０と導光板１９との配置関係を模式的に表した平面図である。図６に示されるように、導光板１９の裏面１９ｂには、各々が光反射性及び散乱性を有する複数のドット部２２ａの集まりからなる光反射・散乱パターン２２が形成されている。各ドット部２２ａは、略円形状の白色の塗膜からなり、導光板１９の裏面１９ｂに対して、印刷技術等の公知の方法により形成されている。光反射・散乱パターン２２において、ＬＥＤ１７の近く（つまり、光入射面１９ｃの近く）では、ドット部２２ａの大きさが小さく、かつドット部２２ａが形成される密度（単位面積あたりの密度）が低くなり、ＬＥＤ１７から遠ざかるにつれて、ドット部２２ａの大きさが大きく、かつドット部２２ａが形成される密度（単位面積あたりの密度）が高くなるように設定されている。導光板１９の光入射面１９ｃより入射された光が、ドット部２２ａに当たると、ドット部２２ａより反射又は散乱されて、光出射面１９ａから出射される。
【００６４】
以上のような照明装置１２において、ＬＥＤ列１７０を構成する各ＬＥＤ１７に対して、電力が供給されると、各ＬＥＤ１７が点灯し、各ＬＥＤ１７より出射された光が、光入射面１９ｃより導光板１９内に入射する。
【００６５】
複数のＬＥＤ１７のうち、中央側光源としての各ＬＥＤ１７Ａからは、上述したように青色光が出射される。これに対し、端側光源としての各ＬＥＤ１７Ｂからは、上述したように、白色光が出射される。
【００６６】
導光板１９内に入射された光は、導光板１９内で反射を繰り返しながら伝播する。導光板１９内を伝播する際に、裏面１９ｂの光反射・散乱パターン２２（各ドット部２２ａ）に当たった光は、光出射面１９ａに向かって立ち上がり、更に光出射面１９ａから蛍光体シート１５０に供給される。
【００６７】
蛍光体シート１５０では、上述したように、一部の青色光は、そのまま青色光として透過するものの、他の一部の青色光は、波長変換されて黄色光として放出される。蛍光体シート１５０より出射した光（青色光、黄色光）は、蛍光体シート１５０に積層されている他の光学部材（光学シート）１５や、導光板１９の裏面１９ｂ側に配されている反射シート２０等に当たる等して、複数回の再帰反射を繰り返しつつ、蛍光体シートを複数回通過した後、最終的に液晶パネル１１の背面に向かうように、光学部材１５から出射する。
【００６８】
図３には、光出射面１９ａ側から見た状態の導光板１９が示されている。光出射面１９ａのうち、光入射面１９ｃに隣接する２つの短辺側端面１９ｅ，１９ｆ付近の各領域Ｒ１，Ｒ２より出射される光は、光出射面１９ａの中央側の領域と比べて、再帰反射の回数が少なくなっている。
【００６９】
光出射面１９ａのうち、中央側の領域には、主として、中央側光源としての複数のＬＥＤ１７Ａより、光が供給される。これに対し、光出射面１９ａの左右両側に存在する領域Ｒ１，Ｒ２には、端側光源としてのＬＥＤ１７Ｂより供給される。各ＬＥＤ１７より出射される光は、ある程度の角度で広がった配向分布を有するものの、直進性が高くなっている。そのため、導光板１９の両端側（光入射面１９ｃに隣接する光源非対向面１９ｅ，１９ｆ側）には、中央側光源である各ＬＥＤ１７Ａからの光が供給され難くなっている。
【００７０】
なお、図３において、光出射面１９ａの周端部に沿うように示される矩形状の領域（一点鎖線）１３０は、フレーム１６の内周縁（枠本体部１６１の内周縁）の位置を表す。導光板１９の光出射面１９ａより出射される光のうち、実際に液晶パネル１１に供給される光（つまり、照明装置１２より出射される光）は、フレーム１６の内周縁の内側を通過する光である。そのため、照明装置１２の光出射側を平面視した際、領域１３０と領域Ｒ１とで囲まれる領域Ｒ１１と、領域１３０と領域Ｒ２とで囲まれる領域Ｒ２２とが、中央側と比べて再帰反射の回数が少ない光が出射する部分となっている。
【００７１】
このように、再帰反射の回数が少ない光が出射する部分に、中央側光源（ＬＥＤ１７Ａ）と同様、青色光のみを出射する光源（ＬＥＤ１７Ａ）を利用して光を供給すると、各領域Ｒ１１，Ｒ２２からは、青色光の存在比率が、中央側よりも高くなっている光が出射することになる。その場合、液晶パネル１１の表示面では、両端部分（領域Ｒ１１，Ｒ２２に対応する部分）が中央側よりも青味を帯びた状態となる。
【００７２】
本実施形態の照明装置１２では、複数個のＬＥＤ１７からなるＬＥＤ列１７０のうち、両端側に、白色光を出射するＬＥＤ１７Ｂを配置することにより、光出射面１９ａの各領域Ｒ１１，Ｒ２２（Ｒ１，Ｒ２）において、再帰反射の回数が少なくても、青色と補色の関係にある黄色を呈する光（補色光）の存在比率を高くし、青色を呈する光（青色光）の存在比率を低くしている。その結果、照明装置１２からは、中央側と同様、両端側も白味を帯びた光が出射される。つまり、照明装置１２では、面状に広がった出射光において、端側が中央側よりもＬＥＤ１７Ａの一次光の色彩（青色）で色付くことが抑制されている。
【００７３】
なお、導光板１９の裏面１９ｂに形成される光反射・散乱パターン２２等の条件によっては、光出射面１９ａのうち、光入射面１９ｃの反対側にある長辺側端面（反対側光源非対向面）１９ｄの付近でも、青色光の存在比率が、中央側よりも高くなっている光が出射する場合がある。ただし、長辺側端面（反対側光源非対向面）１９ｄ付近で生じ得る青味を帯びた光は、上述した導光板１９の両端側（光入射面１９ｃに隣接する光源非対向面１９ｅ，１９ｆ側）で生じるものと比べて、格段に範囲が狭く、しかも液晶パネル１１に表示される画像を視認する際に、実質的に問題とならない程度のものである。
【００７４】
また、光出射面１９ａのうち、光入射面１９ｃ付近についても、形成される光反射・散乱パターン２２等の条件によっては、青色光の存在比率が、中央側よりも高くなっている光が出射する場合がある。ただし、光入射面１９ｃ付近で生じ得る青味を帯びた光は、範囲が狭く、かつ液晶パネル１１に表示される画像を視認する際に、実質的に問題とならない程度のものである。
【００７５】
また、本実施形態では、中央側光源として利用するＬＥＤ１７Ａと同種のものを、端側光源としてのＬＥＤ１７Ｂの本体部（基準光源）７１として利用している。そのため、本実施形態の照明装置１２では、端側光源の本体部（基準光源）７１と、中央側光源のＬＥＤ１７Ａとを共通化でき、生産性に優れ、また、各ＬＥＤ１７の点灯制御を行い易い等の利点を有している。
【００７６】
また、本実施形態では、ＬＥＤ１７Ｂとして、本体部（基準光源）７１と、塗膜からなる波長変換部７２とからなるものが利用されている。そのため、本体部（基準光源）７１に形成する塗膜の厚みや、蛍光体の含有量等を調節することで、波長変換部７２における波長変換機能を容易に調節することができる。
【００７７】
＜実施形態２＞
次いで、本発明の実施形態２を、図７を参照しつつ説明する。本実施形態では、上記実施形態１のＬＥＤ列１７０を、ＬＥＤ列１７０Ａに代えた照明装置について説明する。なお、本実施形態の照明装置の基本的な構成は、上記実施形態１と同様である。そのため、実施形態１と同じ構成については、実施形態１と同じ符号を付し、その詳細説明は省略する。
【００７８】
図７は、実施形態２に係る照明装置で利用されるＬＥＤ列１７０Ａと導光板１９との配置関係を模式的に表した平面図である。本実施形態のＬＥＤ列１７０Ａは、実施形態１と同様、複数のＬＥＤ１７が列状に並んだ状態でＬＥＤ基板１８に実装されており、その中央側に実施形態１と同様、青色光を出射する中央側光源としての複数のＬＥＤ１７Ａが配設されている。そして、ＬＥＤ列１７０Ａの両端側には、それぞれ、端側光源としての２つのＬＥＤ１７Ｂ１，ＬＥＤ１７Ｂ２が配設されている。
【００７９】
図７に示されるように、端側光源のうち、中央側光源に近い方がＬＥＤ１７Ｂ１であり、中央側光源から遠い方（ＬＥＤ列１７０Ａの最も端側）が、ＬＥＤ１７Ｂ２である。本実施形態の端側光源（ＬＥＤ１７Ｂ１，ＬＥＤ１７Ｂ２）は、上記実施形態１と同様、中央側光源のＬＥＤ１７Ａと同種のものからなる本体部（基準光源）と、その本体部の表面を覆う波長変換部とを備えている。そして、ＬＥＤ１７Ｂ１及びＬＥＤ１７Ｂ２は、共に白味を帯びた光を出射するように構成されている。
【００８０】
ただし、本実施形態の場合、互いに列状に並ぶＬＥＤ１７Ｂ１と、ＬＥＤ１７Ｂ２とにおいて、ＬＥＤ列１７０Ａの中央側から端側に向かうにつれて、出射される光の白味が強くなるように設定されている。つまり、ＬＥＤ１７Ｂ１からの出射光よりも、ＬＥＤ１７Ｂ２の出射光の方が、黄色光（補色光）の存在比率を高くして、出射光全体が白味を帯びるように設定されている。
【００８１】
ＬＥＤ１７Ｂ１とＬＥＤ１７Ｂ２とでは、共に一次光として青色光を出射する同じ種類の本体部（基準光源）が利用される。ただし、ＬＥＤ１７Ｂ１の本体部（基準光源）に形成される波長変換部よりも、ＬＥＤ１７Ｂ２の本体部（基準光源）に形成される波長変換部の方が、黄色を呈する蛍光体（第２の蛍光体）の含有量（第２の緑色蛍光体及び第２の赤色蛍光体の各含有量）が多くなっている。つまり、ＬＥＤ１７Ｂ２の方が、ＬＥＤ１７Ｂ１よりも、波長変換部による青色光の波長変換効率が高くなっている。
【００８２】
そのため、ＬＥＤ１７Ｂ１より出射される白色光と、ＬＥＤ１７Ｂ２より出射される白色光とでは、青色光の存在比率はＬＥＤ１７Ｂ１の方が高くなっており、また、黄色光（緑色光、赤色光）の存在比率は、ＬＥＤ１７Ｂ２の方が高くなっている。
【００８３】
このように、端側光源としてのＬＥＤ１７（ＬＥＤ１７Ｂ１，ＬＥＤ１７Ｂ２）が列状に複数個並ぶ場合に、ＬＥＤ列１７０Ａの中央側から端側に向かうにつれて、出射される光の白味が強くなるように設定することで、照明装置からの出射光が、端側が中央側よりもＬＥＤ１７Ａの一次光の色彩（青色）で色付くことを抑制してもよい。
【００８４】
本実施形態のように、端側光源としの各ＬＥＤ１７Ｂ１，１７Ｂ２より出射される光の白味を調節することで、照明装置からの出射光における端側と中央側との境界部分をより目立たなくすることができる。
【００８５】
＜他の実施形態＞
本発明は上記記述及び図面によって説明した実施形態に限定されるものではなく、例えば次のような実施形態も本発明の技術的範囲に含まれる。
【００８６】
（１）上記実施形態では、導光板の各端面のうち、長辺側端面の１つを光入射面として設定していたが、本発明はこれに限られず、例えば、２つの長辺側端面を光入射面としてもよいし、１つ又は２つの短辺側端面を光入射面としてもよい。
【００８７】
（２）上記実施形態では、端側光源として、２個のＬＥＤが列状に並んだものを例示したが、本発明はこれに限られず、例えば、端側光源が、中央側光源の両端にそれぞれ１個ずつ設けられるものであってもよいし、それぞれ２個以上設けられてもよい。
【００８８】
（３）上記実施形態では、白色光を出射する端側光源として、青色光等の一次光を出射する本体部（基準光源）に、塗膜からなる波長変換部を形成したものを利用したが、本発明はこれに限られず、例えば、白色光を発する一般的な白色ＬＥＤ等を利用することができる。また、波長変換部に含まれる蛍光体としては、実施形態１等で例示した物に限られず、他の蛍光体であってもよい。
【００８９】
（４）上記各実施形態では、一次光を出射する光源（ＬＥＤ１７Ａ）として青色の単色光を発するＬＥＤを用いた場合を示したが、光源として青色以外の色の光を発するＬＥＤを用いることも可能であり、その場合は、端側光源が備える波長変換部が呈する色もＬＥＤの光の色に応じて変更すればよい。例えば、マゼンタ色の光を一次光として発するＬＥＤを用いるとともに、端側光源の波長変換部として表面が緑色を呈するものを用いることができる。この場合、波長変換部には、蛍光体として、緑色蛍光体が含有される。そして、この場合、蛍光体シート（波長変換部材）に含有させる蛍光体として緑色蛍光体を用いれば、照明装置の出射光を白色化することができる。
【００９０】
（５）上記（４）以外にも、紫色の光を一次光として発するＬＥＤを用いるとともに、端側光源の波長変換部として表面が黄緑色を呈するものを用いることができる。この場合、波長変換部には、蛍光体として、黄色蛍光体及び緑色蛍光体が所定の含有比率で含有される。そして、この場合、蛍光体シート（波長変換部材）に含有させる蛍光体として黄色蛍光体及び緑色蛍光体を所定の含有比率でもって用いれば、照明装置の出射光を白色化することができる。
【００９１】
（６）上記（４），（５）以外にも、シアン色の光を一次光として発するＬＥＤを用いるとともに、端側光源の波長変換部として表面が赤色を呈するものを用いることができる。この場合、波長変換部には、蛍光体として、赤色蛍光体が含有される。そして、この場合、蛍光体シート（波長変換部材）に含有させる蛍光体として赤色蛍光体を用いれば、照明装置の出射光を白色化することができる。
【００９２】
（７）光学部材を構成する部材（光学シート）の種類、積層順等は、適宜、変更可能である。
【００９３】
（８）蛍光体シート（波長変換部材）の構成する層の種類、積層順等は、適宜、変更可能である。
【００９４】
（９）蛍光体シート（波長変換部材）に含まれる蛍光体として用いた量子ドット蛍光体は、コア・シェル型であってもよいし、内部組成を単一組成としたコア型量子ドット蛍光体であってもよい。
【００９５】
（１０）上記各実施形態では、蛍光体シート（波長変換部材）に、蛍光体として、量子ドット蛍光体を含有させていたが、他の実施形態においては、他の種類の蛍光体を蛍光体シート（波長変換部材）に含有させるようにしても構わない。例えば、蛍光体シート（波長変換部材）に含有させる蛍光体として硫化物蛍光体を用いることができ、具体的には緑色蛍光体としてＳｒＧａ２Ｓ４：Ｅｕ２＋を、赤色蛍光体として（Ｃａ，Ｓｒ，Ｂａ）Ｓ：Ｅｕ２＋を、それぞれ用いることが可能である。
【００９６】
（１１）上記（１０）以外にも、蛍光体シート（波長変換部材）に含有させる緑用蛍光体を、(Ｃａ，Ｓｒ，Ｂａ)３ＳｉＯ４：Ｅｕ２＋、β−ＳｉＡｌＯＮ：Ｅｕ２＋、Ｃａ３Ｓｃ２Ｓｉ３Ｏ１２：Ｃｅ３＋等とすることができる。また、蛍光体シート（波長変換部材）に含有させる赤色用蛍光体を、(Ｃａ，Ｓｒ，Ｂａ)２ＳｉＯ５Ｎ８：Ｅｕ２＋、ＣａＡｌＳｉＮ３：Ｅｕ２＋等とすることができる。さらには、蛍光体シート（波長変換部材）に含有させる黄色用蛍光体を、(Ｙ，Ｇｄ)３(Ａｌ，Ｇａ)５Ｏ１２：Ｃｅ３＋（通称 ＹＡＧ：Ｃｅ３＋）、α−ＳｉＡｌＯＮ：Ｅｕ２＋、(Ｃａ，Ｓｒ，Ｂａ)３ＳｉＯ４：Ｅｕ２＋等とすることができる。それ以外にも、蛍光体シート（波長変換部材）に含有させる蛍光体として、複フッ化物蛍光体（マンガン付活のケイフッ化カリウム（Ｋ２ＴｉＦ６）等）を用いることも可能である。
【００９７】
（１２）上記（１０），（１１）以外にも、蛍光体シート（波長変換部材）に含有させる蛍光体として有機蛍光体を用いることができる。有機蛍光体としては、例えばトリアゾール又はオキサジアゾールを基本骨格とした低分子の有機蛍光体を用いることができる。
【００９８】
（１３）上記した（１０），（１１），（１２）以外にも、蛍光体シート（波長変換部材）に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【００９９】
（１４）上記各実施形態以外にも、ＬＥＤの発光スペクトル（ピーク波長の数値、ピークの半値幅の数値等）及び蛍光体層に含まれる蛍光体の発光スペクトル（ピーク波長の数値、ピークの半値幅の数値等）に関しては、適宜に変更することが可能である。
【０１００】
（１５）上記各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰ等を用いることも可能である。
【０１０１】
（１６）上記各実施形態では、シャーシ１４が金属製とされた場合を例示したが、シャーシを合成樹脂製とすることも可能である。
【０１０２】
（１７）上記各実施形態では、光源としてＬＥＤを用いたものを示したが、有機ＥＬなどの他の光源を用いることも可能である。
【０１０３】
（１８）上記各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１０４】
（１９）上記各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０５】
（２０）上記各実施形態では、透過型の液晶表示装置を例示したが、それ以外にも反射型の液晶表示装置や半透過型の液晶表示装置にも本発明は適用可能である。
【０１０６】
（２１）上記各実施形態では、表示パネルとして液晶パネルを用いた液晶表示装置を例示したが、他の種類の表示パネルを用いた表示装置にも本発明は適用可能である。
【０１０７】
（２２）上記各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【０１０８】
（２３）上記各実施形態では、照明装置より出射される面光が白色となるように設定されていたが、本発明はこれに限られない。例えば、赤色、橙色等の暖色や他の色で調色された面光が出射されるように照明装置が構成されてもよい。
【符号の説明】
【０１０９】
１０...液晶表示装置（表示装置）、１２...照明装置（バックライト装置）、１３...ベゼル、１４...シャーシ、１５...光学部材、１５０...蛍光体シート（波長変換部材）、１６...フレーム、１７...ＬＥＤ（光源）、１７Ａ...中央側光源、１７Ｂ...端側光源、１７０...ＬＥＤ列（光源列）、１８...ＬＥＤ基板、１９...導光板、１９ａ...光出射面、１９ｂ...裏面、１９ｃ...光入射面、２０...反射シート、２１...弾性部材、２２...光反射・散乱パターン
【図１】
2016148052.tif 000003
【図２】
2016148052.tif 000004
【図３】
2016148052.tif 000005
【図４】
2016148052.tif 000006
【図５】
2016148052.tif 000007
【図６】
2016148052.tif 000008
【図７】
2016148052.tif 000009
【国際調査報告】
2016148052.tif 000010
2016148052.tif 000011